(57)【要約】【課題】放送受信機２１は、ＩＰ型放送のコンテンツ出力を放送波型放送のコンテンツ出力より優先し、また、ＩＰ型放送のコンテンツ出力は放送受信機２１がＩＰ型放送の放送元の放送局の放送対象地域内に存在する時に制限する。放送受信機２１が該放送元の放送局の放送対象地域内にいることが一時的に未確認になっても、確認時に、ＩＰ型放送コンテンツ出力を迅速に復帰できるようにする。【解決手段】ユーザー選択の放送波の受信信号レベルをチューナー部２３から取得する（Ｓ４９）。受信信号レベル＜閾値であるならば（Ｓ５０否）、ＩＰ型放送コンテンツの映像及び音声の出力のミュートを共にオンにする。【選択図】図７
2010272992.tif 000002
【特許請求の範囲】
【請求項１】
ユーザー選択の放送波の受信信号レベルが所定の閾値以上であるか否かを判定する受信信号レベル判定手段、
ユーザー選択の放送波の放送元の放送局の放送波型放送又はＩＰ型放送コンテンツの出力信号を生成する出力信号生成手段、
前記出力信号生成手段からコンテンツ出力信号を供給されてそのコンテンツを出力するコンテンツ出力手段、及び
ＩＰ型放送コンテンツの出力期間において前記受信信号レベル判定手段の判定が否である場合には前記コンテンツ出力手段へのＩＰ型放送コンテンツ出力信号の供給を遮断する供給制御手段、
を備えることを特徴とする放送受信機。
【請求項２】
現在位置を取得する現在位置取得手段、
前記現在位置が前記放送元の放送局の放送対象地域内にあるか否かを判定する放送対象地域内判定手段、及び
ＩＰ型放送コンテンツの出力期間において前記受信信号レベル判定手段及び前記放送対象地域内判定手段の判定がそれぞれ正及び否である場合には前記コンテンツ出力手段へのＩＰ型放送コンテンツ出力信号の供給を遮断する前記供給制御手段、
を備えることを特徴とする請求項１記載の放送受信機。
【請求項３】
前記供給制御手段は、前記ＩＰ型放送コンテンツ出力信号の供給遮断期間に前記受信信号レベル判定手段及び前記放送対象地域内判定手段の判定が共に正である場合には前記コンテンツ出力手段へのＩＰ型放送コンテンツ出力信号の供給遮断を解除することを特徴とする請求項２記載の放送受信機。
【請求項４】
前記出力信号生成手段は、前記ＩＰ型放送コンテンツ出力信号の供給遮断期間に前記受信信号レベル判定手段の判定が否である場合には前記ＩＰ型放送の受信データのデコードを停止することを特徴とする請求項１〜３のいずれかに記載の放送受信機。
【請求項５】
デコード停止期間に前記受信信号レベル判定手段及び前記放送対象地域内判定手段の判定が共に正である場合には、前記出力信号生成手段は前記ＩＰ型放送の受信データのデコード停止を解除し、かつ前記供給制御手段は前記コンテンツ出力手段へのＩＰ型放送コンテンツ出力信号の供給遮断を解除することを特徴とする請求項４記載の放送受信機。
【請求項６】
前記出力信号生成手段は、デコード停止期間に前記受信信号レベル判定手段の判定が否である場合にはＩＰ型放送の送信元サーバーとの接続を停止することを特徴とする請求項４又は５記載の放送受信機。
【請求項７】
接続停止の期間に前記受信信号レベル判定手段及び前記放送対象地域内判定手段の判定が共に正である場合には、前記出力信号生成手段は、ＩＰ型放送の放送元サーバーへの接続を開始し、かつデコードを開始し、また、前記供給制御手段はＩＰ型放送出力の供給遮断を解除することを特徴とする請求項６記載の放送受信機。
【請求項８】
現在位置を取得する現在位置取得手段、
前記現在位置取得手段が現在位置を取得できたか否かを判定する取得判定手段、
ＩＰ型放送コンテンツの出力期間に前記受信信号レベル判定手段及び前記取得判定手段の判定が共に否である状態が所定時間以上継続したか否かを判定する継続判定手段、及び
ＩＰ型放送コンテンツの出力期間に前記継続判定手段の判定が正である場合には生成出力信号を前記放送元の放送局のＩＰ型放送コンテンツから放送波型放送コンテンツのものへ変更する前記出力信号生成手段、
を備えることを特徴とする請求項１〜７のいずれかに記載の放送受信機。
【請求項９】
前記出力信号生成手段は、生成出力信号を前記放送元の放送局の放送波型放送コンテンツのものへ変更した場合、生成出力信号は前記放送波型放送の音声及び映像の内の一方のみ又は両方の出力信号とすることを特徴とする請求項８記載の放送受信機。
【請求項１０】
ユーザー選択の放送波の受信信号レベルが所定の閾値以上であるか否かを判定する受信信号レベル判定手段、
現在位置を取得する現在位置取得手段、
前記現在位置が前記放送元の放送局の放送対象地域内にあるか否かを判定する放送対象地域内判定手段、
ユーザー選択の放送波の放送元の放送局の放送波型放送又はＩＰ型放送コンテンツの出力信号を生成する出力信号生成手段、
前記出力信号生成手段からコンテンツ出力信号を供給されてそのコンテンツを出力するコンテンツ出力手段、及び
ＩＰ型放送コンテンツの出力期間に前記受信信号レベル判定手段及び前記放送対象地域内判定手段の判定が共に否になると前記コンテンツ出力手段へのＩＰ型放送コンテンツ出力信号の供給を遮断する供給制御手段、
を備えることを特徴とする放送受信機。
【請求項１１】
ユーザー選択の放送波の受信信号レベルが所定の閾値以上であるか否かを判定する受信信号レベル判定手段、
現在位置を取得する現在位置取得手段、
前記現在位置取得手段が現在位置を取得できたか否かを判定する取得判定手段、
ユーザー選択の放送波の放送元の放送局の放送波型放送又はＩＰ型放送コンテンツの出力信号を生成する出力信号生成手段、
前記出力信号生成手段からコンテンツ出力信号を供給されてそのコンテンツを出力するコンテンツ出力手段、
ＩＰ型放送コンテンツの出力期間に前記受信信号レベル判定手段及び前記現在位置取得手段の判定がそれぞれ正及び否である状態が所定時間以上継続したか否かを判定する継続判定手段、及び
前記継続判定手段の判定が正になると前記コンテンツ出力手段へのＩＰ型放送コンテンツ出力信号の供給を遮断する供給制御手段、
を備えることを特徴とする放送受信機。
【請求項１２】
ユーザー選択の放送波の受信信号レベルが所定の閾値以上であるか否かを判定する受信信号レベル判定手段、
ユーザー設定の現在位置を取得する現在位置取得手段、
前記現在位置がユーザー選択の放送波の放送元の放送局の放送対象地域内にあるか否かを判定する放送対象地域内判定手段、
前記放送元の放送局の放送波型放送又はＩＰ型放送コンテンツの出力信号を生成する出力信号生成手段、
前記出力信号生成手段からコンテンツ出力信号を供給されてそのコンテンツを出力するコンテンツ出力手段、及び
ＩＰ型放送コンテンツの出力期間において前記受信信号レベル判定手段及び前記放送対象地域内判定手段の判定がそれぞれ正及び否である場合には前記コンテンツ出力手段へのＩＰ型放送コンテンツ出力信号の供給を遮断する供給制御手段、
を備えることを特徴とする放送受信機。
【請求項１３】
コンテンツ出力信号を供給されてそのコンテンツを出力するコンテンツ出力器を備える放送受信機の制御方法であって、
ユーザー選択の放送波の受信信号レベルが所定の閾値以上であるか否かを判定する受信信号レベル判定ステップ、
ユーザー選択の放送波の放送元の放送局の放送波型放送又はＩＰ型放送コンテンツの出力信号を生成する出力信号生成ステップ、及び
ＩＰ型放送コンテンツの出力期間において前記受信信号レベル判定ステップの判定が否である場合には前記コンテンツ出力器へのＩＰ型放送コンテンツ出力信号の供給を遮断する供給制御ステップ、
を備えることを特徴とする放送受信機制御方法。
【請求項１４】
請求項１３の放送受信機制御方法の各ステップをコンピュータに実行させるプログラム。
【発明の詳細な説明】
【技術分野】
【０００１】
本発明は、放送局の放送対象地域内でＩＰ型放送を出力するようにした放送受信機、方法及びプログラムに関する。
【背景技術】
【０００２】
特許文献１は、携帯電話回線での無線通信機能と放送回線によるデジタル放送の受信機能との両方をもつ通信端末を開示する（特許文献１の段落００１４及び図１）。該通信端末では、放送網のデジタル放送の放送情報を再生している期間に、放送信号の受信状況が悪化すると、放送網の受信モードから通信網の受信モードへ切替えて、切替前の受信放送情報と同一の放送情報を有するサーバーから該同一の放送情報を受信して、再生する（特許文献１の段落００３１及び００３２並びに図２のＳ１→Ｓ４→Ｓ５）。該通信端末は、また、現在位置を取得し、該現在位置に基づき放送エリアを特定するとともに、放送エリアの遷移を判定し（特許文献１の図５のＳ３０→Ｓ３２）、遷移前の放送エリアで視聴していた番組と同一の番組を遷移後の放送エリアにおいて放送網又は通信網から受信して、再生する（特許文献１の図５のＳ３８→Ｓ３９又はＳ３６→Ｓ３７）。
【０００３】
特許文献２は、地上デジタルテレビジョン放送の電波を受信するとともに、該地上デジタルテレビジョン放送のＩＰ再送信データを、ＩＰネットワーク網を介して取得する携帯電話端末を開示する（特許文献２の段落００２３及び図１）。該携帯電話端末は、地上デジタルテレビジョン放送を視聴している場合に（特許文献２の図５の映像／音声出力のＤＴＶ受信）、受信電界強度が低下して来ると（特許文献２の図５のＳ１）、第１段としてＩＰ接続での受信を開始し、受信電界強度がさらに低下すると（特許文献２の図５のＳ２）、第２段としてＩＰ受信の映像／音声を出力するようにしている（特許文献２の図５の映像／音声出力のＩＰ受信）。
【先行技術文献】
【特許文献】
【０００４】
【特許文献１】特開２００４−４０３８０号公報
【特許文献２】特開２００７−１５８４９２号公報
【発明の概要】
【発明が解決しようとする課題】
【０００５】
本出願人は、特願２００９−８０４５５の明細書（以下、「先願明細書」という。）において、同一の放送局が放送波型放送とＩＰ型放送（「ＩＰ型放送」とは、インターネット放送やＩＰ再送信等、ＩＰネットワークを介してコンテンツを配信する放送と定義する。）との両方で同一又は異なるコンテンツを放送している場合に、ＩＰ型放送コンテンツの出力についてその許可及び禁止を的確に切替える受信装置を開示する。ラジオ放送局等は、法令により放送対象地域が割り当てられており、該放送対象地域外の放送受信機へコンテンツを放送することは法令違反になる。そこで、先願明細書は、放送波の受信信号レベルを検出し、該受信信号レベルが所定の閾値以上であれば、該放送受信機は、該受信信号レベルの放送局に割り当てられている法令の放送対象地域内にあるとして、該放送局のＩＰ型放送コンテンツの出力を許可することを開示している。
【０００６】
放送波型放送（特にアナログ放送）の受信品質は、放送対象地域内においても放送受信機の現在位置による差が大きいのに対し、ＩＰ型放送の受信品質は放送受信機の現在位置による差が小さく、コンテンツの品質は、放送波型放送のコンテンツよりＩＰ型放送のコンテンツの方が高く、放送波型放送及びＩＰ型放送両用の放送受信機では、ＩＰ型放送のコンテンツを優先的に出力した方が出力品質上、有利となる。したがって、先願明細書に開示する放送受信機は、ＩＰ型放送コンテンツを優先的に出力するようにしている。
【０００７】
車載型や携帯型の放送受信機は、ユーザーや自動車の移動に伴い、現在位置が変化するので、出力中のコンテンツの放送元の放送局の放送対象地域に出入りしたり、該放送対象地域内を保持しつつ地下街、建物内又はトンネル内等の放送波の弱い場所へ移動したりする。
【０００８】
放送波型放送及びＩＰ型放送両用の移動型放送受信機は、場所の移動にもかかわらず、放送対象地域の変更や放送対象地域内の放送波型放送の強度変化に伴い、ＩＰ型放送コンテンツが迅速かつ的確に出力されるよう、制御される必要がある。先願明細書は、これに対処する具体的な制御を開示していない。
【０００９】
特許文献１の放送受信機は、放送波によるデジタル放送を携帯電話回線の放送より優先して、出力するものであり、先願明細書の放送受信機とは優先出力が逆になっているとともに、特許文献１は、放送波によるデジタル放送の電波が弱まると、同一の出力番組を保持しつつ、デジタル放送から携帯電話回線の放送へ出力を切り替えることを開示するのみである。特許文献１は、デコード処理に時間がかかるデジタル処理に対し、電波の弱い場所への出入り、放送対象地域間の行き来に的確に対処して、元の放送出力への復帰を迅速化する具体的な手立てを開示していない。
【００１０】
特許文献２の放送受信機も、放送波による地上デジタルテレビジョン放送を携帯電話回線の放送より優先して出力するものであり、先願明細書の放送受信機とは優先出力が逆になっているとともに、特許文献２は、地上デジタルテレビジョン放送から携帯電話回線の放送へ切り替えるのに先立って、ＩＰ接続を済ませることを開示するのみである。特許文献２は、デコード処理に時間がかかるデジタル処理に対し、電波の弱い場所への出入り、放送対象地域間の行き来に的確に対処して、元の放送出力への復帰を迅速化する具体的な手立てを開示していない。
【００１１】
本発明の目的は、場所の移動にもかかわらず、ＩＰ型放送コンテンツを迅速かつ的確に出力する放送受信機、方法及びプログラムを提供することである。
【課題を解決するための手段】
【００１２】
本発明によれば、ユーザー選択の放送波の受信信号レベルに基づき、放送受信機が該放送波の放送元の放送局の放送対象地域内に存在するか否かを判定する。放送波の受信信号レベルに基づき、放送波の放送元の放送局の放送対象地域からの放送受信機の離脱の可能性を探る。離脱の可能性があれば、最初の段階では、コンテンツ出力手段へのコンテンツ出力信号を遮断する。次の段階では、ＩＰ型放送の放送元サーバーから受信した受信データのデコードを停止する。さらに、次の段階では、ＩＰ型放送の放送元サーバーとの接続を停止する。
【００１３】
本発明によれば、コンテンツ出力信号遮断中、デコート停止中、及びＩＰ型放送の放送元サーバーとの接続停止中も、ユーザー選択の放送波の受信信号レベル及び／又は現在位置を監視し、放送受信機が放送対象地域内に存在することが確認されしだい、ＩＰ型放送の放送元サーバーとの接続停止、デコート停止、及び／又はコンテンツ出力信号遮断を解除して、放送受信機におけるＩＰ型放送のコンテンツの出力を再開する。
【００１４】
本発明の放送受信機は次のものを備える。
ユーザー選択の放送波の受信信号レベルが所定の閾値以上であるか否かを判定する受信信号レベル判定手段、
ユーザー選択の放送波の放送元の放送局の放送波型放送又はＩＰ型放送コンテンツの出力信号を生成する出力信号生成手段、
前記出力信号生成手段からコンテンツ出力信号を供給されてそのコンテンツを出力するコンテンツ出力手段、及び
ＩＰ型放送コンテンツの出力期間において前記受信信号レベル判定手段の判定が否である場合には前記コンテンツ出力手段へのＩＰ型放送コンテンツ出力信号の供給を遮断する供給制御手段。
【００１５】
本発明の別の放送受信機は次の手段を備える。
ユーザー選択の放送波の受信信号レベルが所定の閾値以上であるか否かを判定する受信信号レベル判定手段、
現在位置を取得する現在位置取得手段、
前記現在位置が前記放送元の放送局の放送対象地域内にあるか否かを判定する放送対象地域内判定手段、
ユーザー選択の放送波の放送元の放送局の放送波型放送又はＩＰ型放送コンテンツの出力信号を生成する出力信号生成手段、及び
前記出力信号生成手段からコンテンツ出力信号を供給されてそのコンテンツを出力するコンテンツ出力手段、及び
ＩＰ型放送コンテンツの出力期間に前記受信信号レベル判定手段及び前記放送対象地域内判定手段の判定が共に否になると前記コンテンツ出力手段へのＩＰ型放送コンテンツ出力信号の供給を遮断する供給制御手段。
【００１６】
本発明のさらに別の放送受信機は次のものを備える。
ユーザー選択の放送波の受信信号レベルが所定の閾値以上であるか否かを判定する受信信号レベル判定手段、
現在位置を取得する現在位置取得手段、
前記現在位置取得手段が現在位置を取得できたか否かを判定する取得判定手段、
ユーザー選択の放送波の放送元の放送局の放送波型放送又はＩＰ型放送コンテンツの出力信号を生成する出力信号生成手段、
前記出力信号生成手段からコンテンツ出力信号を供給されてそのコンテンツを出力するコンテンツ出力手段、
ＩＰ型放送コンテンツの出力期間に前記受信信号レベル判定手段又は前記現在位置取得手段の判定がそれぞれ正及び否である状態が所定時間以上継続したか否かを判定する継続判定手段、及び
前記継続判定手段の判定が正になると前記コンテンツ出力手段へのＩＰ型放送コンテンツ出力信号の供給を遮断する供給制御手段。
【００１７】
本発明の他の放送受信機は次のものを備える。
ユーザー選択の放送波の受信信号レベルが所定の閾値以上であるか否かを判定する受信信号レベル判定手段、
ユーザー設定の現在位置を取得する現在位置取得手段、
前記現在位置がユーザー選択の放送波の放送元の放送局の放送対象地域内にあるか否かを判定する放送対象地域内判定手段、
前記放送元の放送局の放送波型放送又はＩＰ型放送コンテンツの出力信号を生成する出力信号生成手段、
前記出力信号生成手段からコンテンツ出力信号を供給されてそのコンテンツを出力するコンテンツ出力手段、及び
ＩＰ型放送コンテンツの出力期間において前記受信信号レベル判定手段及び前記放送対象地域内判定手段の判定がそれぞれ正及び否である場合には前記コンテンツ出力手段へのＩＰ型放送コンテンツ出力信号の供給を遮断する供給制御手段。
【００１８】
本発明の方法は、コンテンツ出力信号を供給されてそのコンテンツを出力するコンテンツ出力器を備える放送受信機に適用され、次のステップを備える。
ユーザー選択の放送波の受信信号レベルが所定の閾値以上であるか否かを判定する受信信号レベル判定ステップ、
ユーザー選択の放送波の放送元の放送局の放送波型放送又はＩＰ型放送コンテンツの出力信号を生成する出力信号生成ステップ、及び
ＩＰ型放送コンテンツの出力期間において前記受信信号レベル判定ステップの判定が否である場合には前記コンテンツ出力器へのＩＰ型放送コンテンツ出力信号の供給を遮断する供給制御ステップ。
【００１９】
本発明のプログラムは、本発明の方法の各ステップをコンピュータに実行させる。
【発明の効果】
【００２０】
本発明によれば、放送波の受信信号レベルが低下して来た場合には、直ちに、ＩＰ型放送の放送元サーバーとの接続を停止することなく、コンテンツ出力手段へのコンテンツ出力信号を遮断するので、放送波の受信信号レベルの低下が一時的なものに留まり、放送波の受信信号レベルが再上昇して来た場合には、遮断を解除することにより、ＩＰ型放送のコンテンツ出力を迅速に再開することができる。
【図面の簡単な説明】
【００２１】
【図１】放送システムの構成図である。
【図２】放送受信機１の主要部についてのブロック図である。
【図３】ＩＰ型放送コンテンツの出力許可地域を放送元の放送局の放送波型放送対象地域に限定しつつ出力する処理についての概略説明図である。
【図４】放送受信機１がアクセス先ＵＲＬを探索するために自機に保有する放送局情報の構造図である。
【図５】図４の情報構造に具体的なデータを対応欄に記入した放送局情報を示す。
【図６】放送受信機が現在位置を取得できない場合の問題点についての概略説明図である。
【図７】ネットワークサービス視聴中放送受信機制御方法の第１の範囲のフローチャートである。
【図８】ネットワークサービス視聴中放送受信機制御方法の第２の範囲のフローチャートである。
【図９】放送受信機が"出力ミュート中"フェーズにおいて実行される出力ミュート中放送受信機制御方法の第１の範囲のフローチャートである。
【図１０】放送受信機が"出力ミュート中"フェーズにおいて実行される出力ミュート中放送受信機制御方法の第２の範囲のフローチャートである。
【図１１】放送受信機が"デコード停止中"フェーズにおいて実行されるデコード停止中放送受信機制御方法の第１の範囲のフローチャートである。
【図１２】放送受信機が"デコード停止中"フェーズにおいて実行されるデコード停止中放送受信機制御方法の第２の範囲のフローチャートである。
【図１３】放送受信機が"接続停止中"フェーズにおいて実行される接続停止中放送受信機制御方法のフローチャートである。
【図１４】ネットワークサービス接続開始処理ルーチンＲのフローチャートである。
【図１５】図７及び図８のネットワークサービス視聴中放送受信機制御方法の第１の変形例としてのネットワークサービス視聴中放送受信機制御方法のフローチャートの主要部である。
【図１６】図７及び図８のネットワークサービス視聴中放送受信機制御方法の第２の変形例としてのネットワークサービス視聴中放送受信機制御方法のフローチャートの主要部である。
【図１７】図７及び図８のネットワークサービス視聴中放送受信機制御方法の第３の変形例としてのネットワークサービス視聴中放送受信機制御方法のフローチャートの主要部である。
【図１８】図７及び図８のネットワークサービス視聴中放送受信機制御方法の第４の変形例としてのネットワークサービス視聴中放送受信機制御方法のフローチャートの主要部である。
【図１９】図７及び図８のネットワークサービス視聴中放送受信機制御方法の第５の変形例としてのネットワークサービス視聴中放送受信機制御方法のフローチャートの主要部である。
【図２０】放送受信機のブロック図である。
【図２１】放送受信機制御方法のフローチャートである。
【発明を実施するための形態】
【００２２】
以下の実施の形態の説明において、「ＩＰ型放送」は、インターネット放送やＩＰ再送信を含む概念で使用する。すなわち、ＩＰ（Internet Protocol）を使用して、ネットワークを介してサーバーから放送受信機へ放送コンテンツを配信する放送は、すべて「ＩＰ型放送」と定義する。各放送局は、ＩＰ型放送において放送するコンテンツを、放送波型放送において放送するコンテンツと同一にする必要はない。ＩＰ型放送のコンテンツの具体例は後述する。
【００２３】
図１において、放送システム１０は、主要構成要素として、放送局１１、据置型放送受信機１２やモバイル型放送受信機１３等の放送波・ＩＰ両用の受信機、及びインターネット１６を備えている。モバイル型放送受信機１３は、現在位置を例えばＧＰＳ衛星１７からのＧＰＳ電波により測位する。放送局１１は、編集室２０で編集したスケジュールに従って番組を送信アンテナ１９から放送波（電波）により放送するとともに、インターネット１６を介してほぼ同時に放送する。
【００２４】
放送システム１０を構成する受信機は車載型も含む。放送システム１０では、放送局１１が１つしか図示されていないが、実際の放送システム１０は、複数の放送局１１を含む。受信機も、図示の便宜上、２つしか示していないが、実際の放送システム１０は多数の受信機を含む。各受信機では、そのユーザーが所望の放送局１１を、その放送波の周波数を選択することにより選局され、該放送局１１の放送コンテンツが出力される。各放送局１１は、その放送対象地域を法令により定められている。
【００２５】
据置型放送受信機１２やモバイル型放送受信機１３等の両用受信機は、送信アンテナ１９からの放送波を受信して、その番組の映像及び／又は音声を自機のモニタやスピーカから出力する。該両用受信機は、また、各放送局１１に対し、その放送対象地域内に存在する場合に限り、送信アンテナ１９からの放送波と同一の番組をＩＰ型放送により、インターネット１６を介して配信されて、その出力を許容される。据置型放送受信機１２及びモバイル型放送受信機１３は、インターネット１６へ無線又は有線通信により接続され、ＩＰ型放送の番組をインターネット１６から該無線又は有線通信を介して受信する。
【００２６】
送信アンテナ１９からの放送波による放送がアナログ放送であっても、インターネット１６を介するＩＰ型放送はデジタルデータにより行われるので、アナログ放送の場合には、据置型放送受信機１２やモバイル型放送受信機１３における番組の出力品質は放送波よりもＩＰ型放送の方が高い。このため、後述するように、据置型放送受信機１２及びモバイル型放送受信機１３ではＩＰ型放送の出力を放送波の出力より優先している。
【００２７】
アナログラジオ放送局の場合、該アナログラジオ放送局が、ＩＰ型放送により流すコンテンツ（ＩＰ型放送コンテンツ）と対比しつつ、ＩＰ型放送のコンテンツの具体例を述べると、次のようになる。（ａ）ＩＰ型放送コンテンツは放送波コンテンツと同一である。（ｂ）ＩＰ型放送コンテンツは放送波コンテンツに加えて映像や静止画像や広告情報など他のコンテンツを付加している。（ｃ）ＩＰ型放送コンテンツは放送波コンテンツとは全く別のコンテンツである。放送システム１０は（ａ）〜（ｃ）のいずれであってもよいとする。
【００２８】
図２は放送受信機２１の主要部についてのブロック図である。放送受信機２１は、据置型放送受信機１２及びモバイル型放送受信機１３を総称したものとする。放送受信機２１は、据置型放送受信機１２のように家屋等の建築物内の所定場所に据え付けられるもの、モバイル型放送受信機１３のようにユーザーに携帯されるもの、さらに、自動車に搭載されるものを含む。放送受信機２１は、特にそれが携帯型や車載型である場合には、視聴する放送局１１の放送対象地域に対して頻繁に出入りし、放送局１１のＩＰ型放送は、該放送局１１が該ＩＰ型放送に対応付けている放送波の放送対象地域に放送受信機２１が存在するときのみ、放送受信機２１から出力されるように的確に制御することが要望される。
【００２９】
アンテナ２２は送信アンテナ１９（図１）からの地上波アナログラジオ放送の電波を捕捉し、そのＲＦ信号はチューナー部２３へ送られる。チューナー部２３は、主制御部２４からの指示に従い所定周波数のＲＦ信号を選択して、それをＩＦ信号へ変換してから、復調部２５へ送る。復調部２５は、ＩＦ信号を復調して、音声信号を生成し、それを主制御部２４へ送る。
【００３０】
通信部２７は、インターネット１６と主制御部２４との間に介在して、無線アンテナ２８を介してインターネット１６（図１）との間でデータを授受するとともに、主制御部２４との間でデータを授受する。該データには、放送局１１からのＩＰ型放送のコンテンツデータが含まれる。現在位置検出部２９は、ＧＰＳ衛星１７（図１）からのＧＰＳ電波に基づき現在位置を測位し、現在位置情報を主制御部２４へ送る。
【００３１】
操作部３３は、ユーザー操作を受付けるキー等を装備し、操作情報を主制御部２４へ送る。表示制御部３４は、主制御部２４から表示情報に係る信号を供給され、該表示情報を表示装置３５に表示する。音声制御部３６は、主制御部２４からの音声データを音声信号に変換し、スピーカ３７へ送る。スピーカ３７は、音声制御部３６からの音声信号を音に変換して、出力する。
【００３２】
ＲＯＭ４０には、プログラムや固定データが記録され、主制御部２４はＲＯＭ４０の記録データを適宜読み出し可能になっている。ＲＡＭ４１は、主制御部２４が演算処理中にデータを一時的に記憶するのに使用される。
【００３３】
図３はＩＰ型放送コンテンツの出力許可地域を放送元の放送局の放送波型放送対象地域に限定しつつ出力する処理についての概略説明図である。例えば、出力周波数が同一である複数のＦＭラジオ放送局として、７６．５ＭＨｚの放送局Ａ，Ｂがそれぞれ東京都及び福岡県にあると想定する。放送受信機２１はＧＰＳ衛星１７からのＧＰＳ電波を通信部２７で受信し、主制御部２４はＧＰＳ電波に基づき放送受信機２１の現在位置の緯度及び経度を算出する。これにより、放送受信機２１は、ユーザー選択の周波数が７６．５ＭＨｚであっても、現在位置に基づき東京都及び福岡県のどちらに存在するかを検出され、これによりユーザー選択の周波数の放送局がＡ，Ｂのどちらかであるかを特定することができる。
【００３４】
図４は放送受信機２１がアクセス先ＵＲＬ（Uniform Resource Locator）を探索するために自機に保有する放送局情報の構造図である。図５は図４の情報構造に具体的なデータを対応欄に記入した放送局情報である。該放送局情報は、日本全国の放送局情報を都道府県単位で登録されているので、放送受信機２１の現在位置が日本のどの都道府県にあるとかということと、ユーザー選択の周波数とが分かれば、該周波数の放送波の放送元の放送局及びそのＩＰ型放送サーバーを該放送局情報から割り出すことができる。
【００３５】
なお、放送局情報はＲＯＭ４０に記憶される。放送局情報の更新に対処するため、放送局情報は、フラッシュメモリ型のＲＯＭ４０に記憶するのが好ましい。放送局情報の更新は、放送受信機２１がインターネット１６上の所定のサーバーへ適宜アクセスして、更新後の放送局情報をダウンロードすることにより行われる。
【００３６】
現在位置の緯度経度から都道府県を特定する方法としては、受信機がカーナビゲーションに相当する機能を有している場合は、緯度経度としての現在地から住所を割り出す機能を利用することにより現在位置の都道府県を特定することができる。受信機がそのような機能を有していない場合は、インターネットインターネット１６上の所定のサーバーへアクセスして、現在位置の緯度経度に対応する都道府県を割り出す。
【００３７】
なお、図４及び図５の放送局情報では、インターネット１６内のＩＰ型放送サーバーへアクセスするためのアクセス先がＵＲＬとなっているが、これはＵＲＬに限定するものではなく、サーバーのＩＰアドレスなど他の手段を用いても構わない。これらの方法で得た都道府県と現在の選択周波数とを基にＲＯＭ４０の放送局情報を検索し、該選択周波数の放送波の送信元の放送局を特定する。
【００３８】
なお、図４及び図５の放送局情報構造では、各ラジオ放送の放送対象地域を都道府県単位で登録しているが、より詳細に都道府県と市町村とを組み合わせた単位で管理してもよい。また、該放送局情報の構造では、１つのラジオ放送局に対して１つの周波数を対応付けているが、ラジオ放送局が複数の中継局から放送波を送出している場合もあるため、１つのラジオ放送局に対して複数の周波数を対応付けることもできる。また、該放送局情報構造では、１つのラジオ放送局が複数のＵＲＬを保持しているが、これは１つのラジオ放送局が複数の放送を配信している場合に、それぞれのＵＲＬへアクセスすることで視聴する放送や番組を切替えることを考慮しているためであり、１つの放送のみ配信する場合はその放送局に１つのＵＲＬのみを対応付ければよい。さらに、この放送局情報にＵＲＬが全く格納されていない場合は、そのラジオ放送局はＩＰ型放送を実施していないことを意味する。
【００３９】
図６は放送受信機２１が現在位置を取得できない場合の問題点についての概略説明図である。放送受信機２１は、ＧＰＳ衛星１７からのＧＰＳ電波の受信不能等により現在位置を取得できなくなると、７６．５ＭＨｚの放送波の受信に対して、該放送波の送信元の放送局が東京都及び福岡県のどちらの放送局Ａ，Ｂであるか分からなくなり、結果、ＩＰ型放送のコンテンツを出力するために、放送局Ａ，Ｂのどちらのサーバーへ接続してよいか不明になってしまう。
【００４０】
図６では、放送受信機２１は、各放送局の放送対象地域内にいるか否かを各放送局の放送波の受信信号レベルを所定の閾値と対比して判別している。放送受信機２１は、ユーザー選択の放送局の放送対象地域内にいるにもかかわらず、一時的にトンネル内や、山影、地下街又は建物内へ入り、この場合、該放送局の放送波の受信信号レベルが閾値未満になるが、これが、トンネル内等への一時的な進入であるのか否か、すなわち、放送受信機２１は放送対象地域内に留まったままであるのかそれとも放送対象地域外へ出たのか不明である。前者と後者とを区別して、放送局のＩＰ型放送用サーバーからのコンテンツ出力を的確に制御するのが望ましい。放送受信機２１はこのような問題に対処して、ＩＰ型放送の出力停止及び再出力を実施するようになっている。以下、これについて、図７〜図１９を参照して説明する。
【００４１】
図７及び図８はネットワークサービス視聴中放送受信機制御方法４８のフローチャートである。Ｓ４９〜Ｓ５４までの処理では、放送受信機２１がユーザー選択の放送波の放送元の放送局の放送対象地域内に留まっていると確認されている期間、該放送局のＩＰ型放送を放送受信機２１から出力し続ける（Ｓ４９→Ｓ５０→・・・→Ｓ５４→Ｓ４９）。ただし、該放送局がＩＰ型放送用のサーバーを有している場合に限る。確認できない場合やユーザーが放送波を切り替えた場合には、それぞれ対応の処理へ向かう（Ｓ５０否、Ｓ５２否、Ｓ５３否又はＳ５４否。）。
【００４２】
Ｓ４９では、ユーザーが選択している周波数の放送波の受信レベル（＝受信信号レベル）を放送受信機２１から取得する。なお、受信レベルは例えば放送波の電界強度から検出することができる。放送受信機２１では、ユーザーは自分が聴取したい番組を、それを放送波型放送で放送している放送局を選局することにより選択する。放送局の選局は周波数の選択により行う。
【００４３】
Ｓ５０では、Ｓ４９で取得した受信レベルが所定の閾値以上であるか否かを判定し、判定が正であれば、Ｓ５１へ進み、否であれば、Ｓ６８（図８）へ進む。該閾値は、例えば、放送波の受信信号レベルが該閾値以上であれば、現在位置は該放送波の放送元の放送局の放送対象地域内にあり、放送波の受信信号レベルが該閾値未満であれば、現在位置は該放送対象地域の外であると判断する目安となる値を設定される。
【００４４】
Ｓ５１では、現在位置検出部としての通信部２７から現在位置を取得する。Ｓ５２では、Ｓ５１において現在位置を取得できたか否かを判定し、判定が正であれば、Ｓ５３へ進み、否であれば、Ｓ７３（図８）へ進む。放送受信機２１が山や建物の影、トンネル、地下街又は建物内へ進入すると、ＧＰＳ電波による現在位置の測位が不能になり、Ｓ５１における現在位置取得が困難になることが起こる。
【００４５】
Ｓ５３では、ユーザー選択の周波数を放送波の周波数とする放送局が、現在位置が属する都道府県内に存在するか否かを、Ｓ５１で取得した現在位置と図５の放送局情報とに基づき探索し、該当の放送局が有れば、Ｓ５４へ進み、無ければ、Ｓ６８（図８）へ進む。該都道府県は、ユーザー選択の周波数を放送波の周波数とする放送局の放送対象地域に対応するものであり、以下、ユーザー選択の周波数を放送波の周波数とする放送局の放送対象地域を適宜「当該地域」ということにする。Ｓ５４では、Ｓ５３で見つけた該当の放送局が、前回Ｓ５４を実行した時の放送局と同一であるか否かを判定し、判定が正であれば、Ｓ４９へ戻り、否であれば、Ｓ５８（図８）へ進む。
【００４６】
図８において、ユーザーが選択放送局を切り替えた場合には、Ｓ５８〜Ｒ６３が実施される。なお、Ｒは、ステップではなく、複数のステップの集合としてのルーチンを意味する。Ｓ５８では、現在、出力中のＩＰ型放送コンテンツについて、その映像出力のミュートをオンにする。前述したように、放送受信機２１では、選局した放送局が放送波型放送及びＩＰ型放送の両方を実施している場合、ＩＰ型放送コンテンツを放送波型放送コンテンツより優先して出力する。また、ＩＰ型放送は典型的にはＩＰ再放送であるが、ＩＰ型放送コンテンツは放送波型放送コンテンツとは異なっていても可とする。したがって、放送波型放送がＦＭラジオ放送であっても、ＩＰ型放送は映像及び音声の両方で放送することもある。ネットワークサービス視聴中放送受信機制御方法４８のプログラムは、これらのあらゆる場合を想定して、作成されている。
【００４７】
なお、映像出力のミュートとは、具体的には、主制御部２４は映像信号を生成するものの、表示制御部３４への映像信号の供給を停止することであり、後述のデコード停止やネットワーク接続停止とは区別される。映像出力のミュートにより表示装置３５は無表示状態になる。これを回避するために、ＩＰ型放送コンテンツの映像に代わる映像を表示することもできる。
【００４８】
Ｓ５９では、現在、出力中のＩＰ型放送コンテンツについて、その音声出力のミュートをオンにする。音声出力のミュートとは、具体的には、主制御部２４は音声信号を生成するものの、音声制御部３６への音声信号の供給を停止することであり、これにより、スピーカ３７からの出力は無音状態になる。
【００４９】
Ｓ６０では、現在、出力中のコンテンツについて、その基になっているデータであってＩＰ型放送元サーバーからの受信信号から抽出したデータのデコード、すなわち現在のネットワークサービスのデコードを停止する。Ｓ６１では、ネットワークサービスへの接続、すなわち現在、インターネット１６を介して接続されているＩＰ型放送元サーバーとの接続を終了する。
【００５０】
Ｓ６２では、ネットワークサービスの接続先をユーザーによる切替後のＩＰ型放送元のサーバーへ変更する。Ｒ６３では、切替後のネットワークサービス、すなわち切替後のＩＰ型放送元のサーバーからのコンテンツの視聴開始の処理を実行する。なお、本明細書で「視聴」とは、文字どおりの映像の視認と音声の聴取との両方だけでなく、映像の視認のみ、及び音声のみの聴取のみも含むとする。Ｒ６３の処理の詳細は、図１４で後述する。Ｒ６３の後、放送受信機２１は"ネットワークサービス視聴中"フェーズへ移行する。
【００５１】
Ｓ６８，Ｓ６９は、（ａ）ユーザー選択の放送波の受信信号レベルが所定の閾値未満になった場合、又は（ｂ）ユーザー選択の周波数を放送波の周波数とする放送局が当該地域内に存在しない場合、実行される。（ａ）及び（ｂ）の事態は、例えば、放送受信機２１が、選局中の放送局の放送対象地域から離脱した時又は放送対象地域内に留まるものの地下街や建物内等の放送波の受信信号レベルが低い場所へ移動した時に起きる。
【００５２】
Ｓ６８，Ｓ６９は、前述のＳ５８，Ｓ５９と同じく、映像出力及び音声出力のミュートをオンにする。Ｓ６９の後、放送受信機２１は"出力ミュート中"フェーズへ移行する。
【００５３】
Ｓ７３は、ユーザー選択の放送波の受信信号レベルが所定の閾値以上であっても、現在位置を取得できない場合に実行される。このような事態は、放送受信機２１が建物や山等の影に入って、ＧＰＳ衛星１７からのＧＰＳ電波を受信し難くなった時に起こる。Ｓ７３では、現在位置が不明になってから一定時間が経過したか否かを判定し、判定が正であれば、Ｓ７４へ進み、否であれば、Ｓ４９（図７）へ戻る。
【００５４】
Ｓ７４〜Ｓ８０は、放送受信機２１の出力を、ユーザー選択の放送波の放送元放送局のＩＰ型放送コンテンツから放送波型放送コンテンツへ切り替える一連の処理となっている。Ｓ７４，Ｓ７５では、前述のＳ５８，Ｓ５９と同じく、映像出力及び音声出力のミュートをオンにする。Ｓ７６，Ｓ７７では、前述のＳ６０，Ｓ６１と同じく、ネットワークサービスのデコードを停止し、ネットワークサービスへの接続を終了する。
【００５５】
Ｓ７８では、放送受信機２１の出力をユーザー選択の放送波の放送波型放送コンテンツへ切り替える。具体的には、主制御部２４が生成するコンテンツ出力信号はユーザー選択の放送波型放送コンテンツの出力信号とする。主制御部２４は、ミュート部を含み、該ミュート部は、Ｓ７４，Ｓ７５においてミュートオンに切り替わってから、ミュートオンを保持しているので、表示装置３５及びスピーカ３７からの映像及び音声の出力は、次のＳ７９の実施前までは途絶えたままになっている。
【００５６】
Ｓ７９では、音声出力のミュートをオフにする。この結果、放送波型放送コンテンツの音声がスピーカ３７から出力開始される。Ｓ８０では、映像出力のミュートをオフにする。この結果、放送波型放送コンテンツの映像が表示装置３５において出力される。Ｓ８０の後、放送受信機２１は"放送波視聴中"フェーズへ移行する。
【００５７】
図９及び図１０は放送受信機２１が"出力ミュート中"フェーズにおいて実行される出力ミュート中放送受信機制御方法８５のフローチャートである。出力ミュート中放送受信機制御方法８５において、処理内容が図７及び図８のネットワークサービス視聴中放送受信機制御方法４８のステップと同一処理のステップがある場合、それらステップは、同一処理のネットワークサービス視聴中放送受信機制御方法４８のステップの番号を付して、説明は省略する。
【００５８】
ネットワークサービス視聴中放送受信機制御方法４８に対する出力ミュート中放送受信機制御方法８５の相違点について説明すると、Ｓ５４では、その判定が正となったことは、放送受信機２１が"出力ミュート中"フェーズにある場合に、ユーザー選択の放送波の受信信号レベルが所定の閾値以上に回復し、現在位置も取得できるようになり、かつ取得した現在位置と図５の放送局情報とに基づき判明した放送局が、今までＩＰ型放送コンテンツを出力していた放送局と同一であることを意味する。
【００５９】
Ｓ５４の判定が正である場合、Ｓ８６，Ｓ８７が実行される。Ｓ８６，Ｓ８７では、それぞれ音声出力及び映像出力のミュートをオフにする。これにより、図８のネットワークサービス視聴中放送受信機制御方法４８のＳ６８，Ｓ６７でミュートをオンにされていたＩＰ型放送のコンテンツの映像及び音声の出力が再開される。
【００６０】
出力ミュート中放送受信機制御方法８５において、Ｓ５４の判定が否となったことは、放送受信機２１が"出力ミュート中"フェーズにある場合に、ユーザー選択の放送波の受信信号レベルが所定の閾値以上に回復し、現在位置も取得できるようになり、かつ取得した現在位置と図５の放送局情報とに基づき判明した放送局が、今までＩＰ型放送コンテンツを出力していた放送局とは異なっていることを意味する。
【００６１】
出力ミュート中放送受信機制御方法８５において、Ｓ５４の判定が否である場合、Ｓ６０，Ｓ６１，Ｓ６２，Ｒ６３が順番に実行される。これらＳ６０，Ｓ６１，Ｓ６２，Ｒ６３は、図８のネットワークサービス視聴中放送受信機制御方法４８におけるＳ６０，Ｓ６１，Ｓ６２，Ｒ６３と同一である。図８のネットワークサービス視聴中放送受信機制御方法４８では、Ｓ６０の前に、Ｓ５８，Ｓ５９があるのに対し、図９の出力ミュート中放送受信機制御方法８５では、Ｓ５８，Ｓ５９が省略されているのは、出力ミュート中放送受信機制御方法８５の実行前に、図８のネットワークサービス視聴中放送受信機制御方法４８のＳ６８，Ｓ６９が実行済みとなっており、出力ミュート中放送受信機制御方法８５において映像出力及び音声出力のミュートを再度オンにする必要がないからである。
【００６２】
図１０において、Ｓ７６〜Ｓ８０が実行される場合とは、放送受信機２１が"デコード停止中"フェーズにある期間に、ユーザー選択の放送波が所定の閾値未満であると判定される場合、又はユーザー選択の放送波が所定の閾値以上でありかつ現在位置を取得できたものの、ユーザー選択の周波数を放送波の周波数とする放送局が当該地域内に存在しない場合である。
【００６３】
図１０のＳ７６〜Ｓ８０は、図８のネットワークサービス視聴中放送受信機制御方法４８のＳ７６〜Ｓ８０と同一の処理を実施する。図１０において、Ｓ７６の前のＳ７４，Ｓ７５が省略されているのは、図１０のＳ７６の実行前に、図８のネットワークサービス視聴中放送受信機制御方法４８のＳ６８，Ｓ６９において、Ｓ７４，Ｓ７５と同一の処理が行われているからである。図１０のＳ７６〜Ｓ８０の実行の結果、放送受信機２１は、"出力ミュート中"フェーズから"放送波視聴中"フェーズへ移行する。
【００６４】
図１０のＳ９５は、放送受信機２１が"出力ミュート中"フェーズへ移行した後、ユーザー選択の放送波の受信信号レベルが所定の閾値未満である場合に実施する。Ｓ９５の処理は、図８のＳ７６の処理と同一である。図８のＳ７６の前には、Ｓ７４，Ｓ７５のミュートオン処理があるのに対し、Ｓ９５の前にそのようなミュート処理が省略されているのは、図１０のＳ９５の実行前に、図８のネットワークサービス視聴中放送受信機制御方法４８のＳ６８，Ｓ６９において、Ｓ７４，Ｓ７５と同一の処理が行われているからである。Ｓ９５の後、放送受信機２１は"出力ミュート中"フェーズから"デコード停止中"フェーズへ移行する。なお、"出力ミュート中"フェーズから"デコード停止中"フェーズへ直ちに移行するのを抑制するために、Ｓ５０否とＳ９５のとの間に所定の時間が経過するのを待つステップを挿入することができる。
【００６５】
図１１及び図１２は放送受信機２１が"デコード停止中"フェーズにおいて実行されるデコード停止中放送受信機制御方法１００のフローチャートである。デコード停止中放送受信機制御方法１００において、処理内容が図７及び図８のネットワークサービス視聴中放送受信機制御方法４８のステップと同一処理のステップがある場合、それらステップは、同一処理のネットワークサービス視聴中放送受信機制御方法４８のステップの番号を付して、説明は省略する。
【００６６】
デコード停止中放送受信機制御方法１００において、Ｓ５４の判定が正となったことは、放送受信機２１が"デコード停止中"フェーズにある場合に、ユーザー選択の放送波の受信信号レベルが所定の閾値以上に回復し、現在位置も取得できるようになり、かつ取得した現在位置と図５の放送局情報とに基づき判明した放送局が、今までＩＰ型放送コンテンツを出力していた放送局と同一であることを意味する。
【００６７】
図９の出力ミュート中放送受信機制御方法８５では、Ｓ５４の判定が正であれば、直ちにＳ８６が実施されるのに対し、デコード停止中放送受信機制御方法１００では、Ｓ８６の実施前にＳ１０１が実施され、フェーズのデコードが再開される。これは、デコード停止中放送受信機制御方法１００では、その実行前に、図１０の出力ミュート中放送受信機制御方法８５のＳ９５において、フェーズのデコートが停止されているので、デコードを再開する必要があるからである。
【００６８】
デコード停止中放送受信機制御方法１００において、Ｓ５４の判定が否となったことは、放送受信機２１が"デコード停止中"フェーズにある場合に、ユーザー選択の放送波の受信信号レベルが所定の閾値以上に回復し、現在位置も取得できるようになり、かつ取得した現在位置と図５の放送局情報とに基づき判明した放送局が、今までＩＰ型放送コンテンツを出力していた放送局とは異なっていることを意味する。
【００６９】
デコード停止中放送受信機制御方法１００において、Ｓ５４の判定が否である場合、Ｓ６１，Ｓ６２，Ｒ６３が順番に実行される。これらＳ６１，Ｓ６２，Ｒ６３は、図９の出力ミュート中放送受信機制御方法８５におけるＳ６１，Ｓ６２，Ｒ６３と同一である。図９の出力ミュート中放送受信機制御方法８５では、Ｓ６１の前に、Ｓ６０があるのに対し、図１１のデコード停止中放送受信機制御方法１００では、Ｓ６０が省略されているのは、デコード停止中放送受信機制御方法１００の実行前に、図１０の出力ミュート中放送受信機制御方法８５のＳ９５が実行済みとなっており、デコード停止中放送受信機制御方法１００においてデコードを再度停止する必要がないからである。
【００７０】
図１２のデコード停止中放送受信機制御方法１００において、Ｓ７７〜Ｓ８０が実行される場合とは、放送受信機２１が"デコード停止中"フェーズにある期間に、ユーザー選択の放送波が所定の閾値未満であると判定される場合、又は現在位置を取得できたものの、ユーザー選択の周波数を放送波の周波数とする放送局が当該地域内に存在しない場合である。
【００７１】
図１２のＳ７７〜Ｓ８０は、図１０の出力ミュート中放送受信機制御方法８５のＳ７７〜Ｓ８０と同一の処理を実施する。図１２において、Ｓ７７の前にＳ７６（デコード停止）を省略したのは、図１２のＳ７７の実行前に、図１０の出力ミュート中放送受信機制御方法８５のＳ９５において、Ｓ７６と同一の処理が行われているからである。図１２のＳ７７〜Ｓ８０の実行の結果、放送受信機２１は、"デコード停止中"フェーズから"放送波視聴中"フェーズへ移行する。
【００７２】
図１２のＳ１０４は、放送受信機２１が"デコード停止中"フェーズへ移行した後、ユーザー選択の放送波の受信信号レベルが所定の閾値未満である場合に実施する。Ｓ１０４では、図８のＳ７７と同一の処理を実施する。この後、放送受信機２１は"デコード停止中"フェーズから"接続停止中"フェーズへ移行する。なお、"デコード停止中"フェーズから"接続停止中"フェーズへ直ちに移行するのを抑制するために、Ｓ５０否とＳ１０４のとの間に所定の時間が経過するのを待つステップを挿入することができる。
【００７３】
図１３は放送受信機２１が"接続停止中"フェーズにおいて実行される接続停止中放送受信機制御方法１１０のフローチャートである。接続停止中放送受信機制御方法１１０において、処理内容が図７及び図８のネットワークサービス視聴中放送受信機制御方法４８のステップと同一処理のステップがある場合、それらステップは、同一処理のネットワークサービス視聴中放送受信機制御方法４８のステップの番号を付して、説明は省略する。
【００７４】
接続停止中放送受信機制御方法１１０において、Ｓ５４の判定が正となったことは、放送受信機２１が"デコード停止中"フェーズにある場合に、ユーザー選択の放送波の受信信号レベルが所定の閾値以上に回復し、現在位置も取得できるようになり、かつ取得した現在位置と図５の放送局情報とに基づき判明した放送局が、今までＩＰ型放送コンテンツを出力していた放送局と同一であることを意味する。
【００７５】
接続停止中放送受信機制御方法１１０において、Ｓ５４の判定が正であれば、ネットワークサービス接続開始処理ルーチンＲ６３（詳細は図１４で後述）が実行される。Ｒ６３が実行される理由は、Ｓ５４が実行される時には、それに先立って実行された図１２のＳ１０４においてネットワークサービスへの接続が停止したままになっているからである。Ｒ６３の実行後、放送受信機２１は"ネットワークサービス視聴中"フェーズへ移行する。
【００７６】
接続停止中放送受信機制御方法１１０において、Ｓ５４の判定が否となったことは、放送受信機２１が"接続停止中"フェーズにある場合に、ユーザー選択の放送波の受信信号レベルが所定の閾値以上に回復し、現在位置も取得できるようになり、かつ取得した現在位置と図５の放送局情報とに基づき判明した放送局が、今までＩＰ型放送コンテンツを出力していた放送局と同一であることを意味する。
【００７７】
接続停止中放送受信機制御方法１１０において、Ｓ５４の判定が否である場合、Ｓ６２，Ｒ６３が順番に実行される。これらＳ６２，Ｒ６３は、図１１のデコード停止中放送受信機制御方法１００におけるＳ６２，Ｒ６３と同一である。図１１のデコード停止中放送受信機制御方法１００では、Ｓ６２の前に、Ｓ６１があるのに対し、図１３の接続停止中放送受信機制御方法１１０では、Ｓ６１が省略されているのは、接続停止中放送受信機制御方法１１０の実行前に、図１２のデコード停止中放送受信機制御方法１００のＳ１０４が実行済みとなっており、接続停止中放送受信機制御方法１１０においてネットワークサービスへの接続を再度終了する必要がないからである。
【００７８】
図１４はネットワークサービス接続開始処理ルーチンＲ６３のフローチャートである。Ｒ６３におけるＳ１２１〜Ｓ１２４は、図８のネットワークサービス視聴中放送受信機制御方法４８のＳ７４〜Ｓ７７で実施した処理を逆の順番で解除していくものである。ただし、出力のミュートオン後に、ユーザー選択の周波数が変更された場合には、ネットワークサービスは、変更後の周波数を放送波の周波数としている放送局が実施しているＩＰ型放送のサービスとなる。
【００７９】
Ｓ１２１では、ネットワークサービスへの接続を開始する。Ｓ１２２では、ネットワークサービスのデコードを開始する。Ｓ１２３では、音声出力のミュートをオフにする。Ｓ１２４では、映像出力のミュートをオフにする。
【００８０】
図１５は図７及び図８のネットワークサービス視聴中放送受信機制御方法４８の第１の変形例としてのネットワークサービス視聴中放送受信機制御方法４８ｂのフローチャートの主要部である。図１５は、ネットワークサービス視聴中放送受信機制御方法４８ｂにおいて図８のネットワークサービス視聴中放送受信機制御方法４８と相違する部分のみを図示している。また、図１５において、処理内容が図７のネットワークサービス視聴中放送受信機制御方法４８のステップと同一処理のステップがある場合、それらステップは、同一処理のネットワークサービス視聴中放送受信機制御方法４８のステップの番号を付して、説明は省略する。ネットワークサービス視聴中放送受信機制御方法４８に対するネットワークサービス視聴中放送受信機制御方法４８ｂの相違点について説明する。
【００８１】
ネットワークサービス視聴中放送受信機制御方法４８ｂでは、Ｓ５０の判定が正であるならば、Ｓ４９へ戻る。また、判定が否である場合に、Ｓ５１へ進む。こうして、ネットワークサービス視聴中放送受信機制御方法４８ｂでは、ユーザー選択の放送波の受信信号レベルが所定の閾値以上であれば、現在位置の取得と、該現在位置から判明した当該地域内にユーザー選択の周波数を放送波の周波数とする放送局が存在するかの確認とを省略して、該放送局のＩＰ型放送のコンテンツを出力することになる。
【００８２】
同一周波数を放送波の周波数とする放送局は、日本全国には複数、存在することがあるが、それら複数の放送局は、図３で説明したように、例えば東京都と福岡県とのように、十分に長い距離を隔てて、設置されるのが普通である。したがって、放送受信機２１がその大きな距離を一気に移動することはあり得ない。また、ユーザーの普段の移動範囲は、関東地区とか近畿地区とかように、所定距離内の地域範囲にとどまる。
【００８３】
例えば、ユーザーに住所地の都道府県を入力又は選択させて、放送受信機２１のフラッシュメモリに登録しておく。そして、ユーザー選択の放送波の受信信号レベルが所定の閾値以上である場合に、登録されている都道府県又はその近隣（１つ隣りか又はせいぜい３つか４つ隣り）の都道府県において該放送波の周波数を周波数とする放送局を一意に決めることができるので、こうして決められた放送局のＩＰ型放送を放送受信機２１において出力させることができ、一々、現在位置を取得したり、取得した現在位置に基づき当該地域（前述したように、ユーザー選択の周波数を放送波の周波数とする放送局が、現在位置が属する都道府県のこと）を探索したりする手間を省くことができる。
【００８４】
なお、現在位置は、ＧＰＳ電波を使用せずに、放送波のみから検出することも可能である。例えば、現在位置において、放送波の受信信号レベルが所定の閾値以上になっている周波数を全部調べ上げ、その全部又はほぼ全部の周波数が各放送局の放送波の周波数として存在する放送対象地域を図５の放送局情報から調べることにより、放送受信機２１が存在する放送対象地域（都道府県）を特定することができる。
【００８５】
図１６は図７及び図８のネットワークサービス視聴中放送受信機制御方法４８の第２の変形例としてのネットワークサービス視聴中放送受信機制御方法４８ｃのフローチャートの主要部である。図１６は、ネットワークサービス視聴中放送受信機制御方法４８ｃにおいて図８のネットワークサービス視聴中放送受信機制御方法４８と相違する部分のみを図示している。
【００８６】
ネットワークサービス視聴中放送受信機制御方法４８ｃにおいて、ネットワークサービス視聴中放送受信機制御方法４８との相違点はＳ７３のみである。図８のネットワークサービス視聴中放送受信機制御方法４８では、Ｓ７３において、その判定が正であれば、Ｓ７４へ進んでいたが、ネットワークサービス視聴中放送受信機制御方法４８ｃにおけるＳ７３では、判定が正になると、Ｓ６８（図８）へ進む。すなわち、ネットワークサービス視聴中放送受信機制御方法４８ｃは、ＩＰ型放送のコンテンツのみ出力し、対応の放送波型放送のコンテンツは出力することなく、出力のミュートをオンにする。なお、ネットワークサービス視聴中放送受信機制御方法４８ｃでは、ネットワークサービス視聴中放送受信機制御方法４８のＳ７４〜Ｓ８０は不要となる。
【００８７】
このようにして、ネットワークサービス視聴中放送受信機制御方法４８ｃでは、ユーザー選択の放送波の受信信号レベルが閾値以上であるが、現在位置が取得できない状況下にも、放送受信機２１の出力がＩＰ型放送から放送波型放送のコンテンツへ切り替えられることなく、放送受信機２１は"出力ミュート中"フェーズへ移行する。
【００８８】
図１７は図７及び図８のネットワークサービス視聴中放送受信機制御方法４８の第３の変形例としてのネットワークサービス視聴中放送受信機制御方法４８ｄのフローチャートの主要部である。図１７は、ネットワークサービス視聴中放送受信機制御方法４８ｄにおいて図８のネットワークサービス視聴中放送受信機制御方法４８と相違する部分のみを図示している。また、図１７において図示されているＳ７４〜Ｓ７９はネットワークサービス視聴中放送受信機制御方法４８のＳ７４〜Ｓ７９と同一である。
【００８９】
ネットワークサービス視聴中放送受信機制御方法４８では、Ｓ７９の後にＳ８０が存在するが、ネットワークサービス視聴中放送受信機制御方法４８ｄではＳ８０を省略して、"放送波視聴中"フェーズへ移行する。ネットワークサービス視聴中放送受信機制御方法４８ｄは、放送波型放送がラジオ放送のような音声のみのコンテンツを想定している。したがって、"放送波視聴中"フェーズでは、映像の出力が不要であるので、Ｓ８０を省略している。
【００９０】
図１８は図７及び図８のネットワークサービス視聴中放送受信機制御方法４８の第４の変形例としてのネットワークサービス視聴中放送受信機制御方法４８ｅのフローチャートの主要部である。図１８は、ネットワークサービス視聴中放送受信機制御方法４８ｅにおいて図８のネットワークサービス視聴中放送受信機制御方法４８と相違する部分のみを図示している。また、図１８において図示されているＳ７４〜Ｓ７８，Ｓ８０はネットワークサービス視聴中放送受信機制御方法４８（図８）のＳ７４〜Ｓ７８，Ｓ８０と同一である。
【００９１】
ネットワークサービス視聴中放送受信機制御方法４８では、Ｓ７８とＳ８０との間にＳ７９が存在するが、ネットワークサービス視聴中放送受信機制御方法４８ｅではＳ７９を省略している。ネットワークサービス視聴中放送受信機制御方法４８ｅは、放送波型放送の出力において音声は出力対象とせず、映像のみを出力対象としている。ユーザーが、電車やバス内でテレビ放送を視聴する場合、音声は周囲の迷惑になるので、映像のみを音声字幕付き又は字幕無しで見ることがあり、ネットワークサービス視聴中放送受信機制御方法４８ｅは放送受信機２１のこのような使い方に対処したものとなっている。
【００９２】
図１９は図７及び図８のネットワークサービス視聴中放送受信機制御方法４８の第５の変形例としてのネットワークサービス視聴中放送受信機制御方法４８ｆのフローチャートの主要部である。図１９は、ネットワークサービス視聴中放送受信機制御方法４８ｆにおいて図８のネットワークサービス視聴中放送受信機制御方法４８と相違する部分のみを図示している。ネットワークサービス視聴中放送受信機制御方法４８ｆでは、Ｓ７３が正である場合に、Ｓ１３０，Ｓ１３１が実施される。Ｓ１３０，Ｓ１３１は、ネットワークサービス視聴中放送受信機制御方法４８のＳ７４〜Ｓ８０に代替される。
【００９３】
Ｓ１３０では、現在位置のエリアは設定済みか否かを判定し、判定が正であれば、Ｓ５３へ進み、否であれば、Ｓ１３１へ進む。ユーザーは、放送受信機２１を使用するエリアを予め放送受信機２１に設定しておく。エリアは前述の当該地域のことであり、ユーザーは、放送受信機２１の使用に先立ち、自分の住所地や観光や出張等で訪問した先の都道府県をエリアとして設定する。このエリアは、放送受信機２１のフラッシュメモリに記憶され、放送受信機２１では、該フラッシュメモリから読み出される。
【００９４】
Ｓ１３１では、ユーザーに現在位置を設定する旨の通知を表示装置３５に表示する。ユーザーは、Ｓ１３１の表示を見て、現在位置のエリアをネットワークサービス視聴中放送受信機制御方法４８ｆとは別の割り込みルーチンで入力する。Ｓ１３１の後、Ｓ５３へ進む。
【００９５】
図７〜図１９のフローチャートに対し、放送受信機２１のユーザーの視聴変化パターンは、ＩＰ型放送視聴を起点として、（ａ）ＩＰ型放送視聴⇒ミュート⇒ＩＰ型放送視聴、（ｂ）ＩＰ型放送視聴⇒ミュート⇒放送波型放送視聴、及び（ｃ）ＩＰ型放送視聴⇒ミュートの３つとなり、放送波型放送視聴後にＩＰ型放送へ戻る切替を含む視聴変化パターンは存在しない。したがって、ユーザーは、放送受信機２１の出力が放送波型放送へ切り替わった後に、出力をＩＰ型放送へ戻すには、手動操作で出力切替を行わなければならない。放送受信機２１の出力を、放送波型放送へ切り替えた後に、再びＩＰ型放送へ戻すことを自動的に行うためには、放送波型放送出力中にも同様の監視を続け、ＩＰ型放送の出力条件を再び満たした場合に、ＩＰ型放送へ出力を切り替えればよいが、そのような処理を付加すると、状況によっては、ＩＰ型放送視聴⇔ミュート⇔放送波型放送視聴の切り替えが繰り返される可能性があり、これが短期間に頻繁に行われるとユーザーにとって煩わしくなる恐れがある。放送受信機２１において（ａ）〜（ｃ）の３つの視聴変化パターンに制限しているのはこのためである。
【００９６】
図２０は放送受信機１５０のブロック図である。前述の放送受信機２１は放送受信機１５０の一例である。放送受信機１５０は例えば携帯型、車載型又は据置型である。放送受信機１５０が受信する放送波は例えばラジオ放送波及び／又はテレビ放送波である。放送波は、アナログ放送波又はデジタル放送波であり、特にはラジオのアナログ放送波である。放送受信機１５０は、受信信号レベル判定手段１５１、出力信号生成手段１５２、コンテンツ出力手段１５３及び供給制御手段１５４を備える。
【００９７】
受信信号レベル判定手段１５１は、ユーザー選択の放送波の受信信号レベルが所定の閾値以上であるか否かを判定する。出力信号生成手段１５２は、ユーザー選択の放送波の放送元の放送局の放送波型放送又はＩＰ型放送コンテンツの出力信号を生成する。コンテンツ出力手段１５３は、出力信号生成手段１５２からコンテンツ出力信号を供給されてそのコンテンツを出力する。供給制御手段１５４は、ＩＰ型放送コンテンツの出力期間において受信信号レベル判定手段１５１の判定が否である場合にはコンテンツ出力手段１５３へのＩＰ型放送コンテンツ出力信号の供給を遮断する。
【００９８】
所定の閾値は、例えば、放送受信機１５０が、放送波を受信した地点が該放送波の放送元の放送局の放送対象地域（以下、該放送対象地域を適宜「当該放送対象地域」という。）内であると判断することができる受信信号レベルの最小値に設定される。ユーザー選択の放送波の受信信号レベルが所定の閾値未満になったからといって、放送受信機１５０が当該放送対象地域から離脱したとは断言できない。なぜならば、放送受信機１５０が地下街や建物内等、当該放送対象地域内ではあるが、放送波の弱い地帯にいる可能性があるからである。
【００９９】
放送受信機１５０は、当該放送対象地域から離脱した可能性があると判断すると、最初の段階として、コンテンツ出力手段１５３へのＩＰ型放送コンテンツ出力信号の供給を遮断するので、放送受信機１５０が当該放送対象地域へ戻った場合には、供給遮断を解除して、速やかにＩＰ型放送コンテンツの出力を再開することができる。
【０１００】
放送受信機１５０は、さらに、現在位置取得手段１５７及び放送対象地域内判定手段１５８を備えることができる。現在位置取得手段１５７は、現在位置を取得する。放送対象地域内判定手段１５８は、現在位置が放送元の放送局の放送対象地域内にあるか否かを判定する。供給制御手段１５４は、ＩＰ型放送コンテンツの出力期間に受信信号レベル判定手段１５１及び放送対象地域内判定手段１５８の判定がそれぞれ正及び否である場合には、コンテンツ出力手段１５３へのＩＰ型放送コンテンツ出力信号の供給を遮断する。
【０１０１】
典型的には、供給制御手段１５４は、ＩＰ型放送コンテンツ出力信号の供給遮断期間に受信信号レベル判定手段１５１及び放送対象地域内判定手段１５８の判定が共に正である場合にはコンテンツ出力手段１５３へのＩＰ型放送コンテンツ出力信号の供給遮断を解除する。この具体例は、図９の出力ミュート中放送受信機制御方法８５のＳ８６，Ｓ８７である。
【０１０２】
典型的には、出力信号生成手段１５２は、ＩＰ型放送コンテンツ出力信号の供給遮断期間に受信信号レベル判定手段１５１の判定が否である場合には、ＩＰ型放送の受信データのデコードを停止する。この具体例は、図１０の出力ミュート中放送受信機制御方法８５のＳ９５である。
【０１０３】
ＩＰ型放送コンテンツ出力信号の供給遮断期間に受信信号レベル判定手段１５１の判定が否である場合は、放送受信機１５０が当該放送対象地域から離脱した可能性が一層、高まったことを意味する。したがって、放送受信機１５０は、第二段階として、ＩＰ型放送の受信データのデコード停止を実施することになる。ＩＰ型放送の受信データのデコード停止は、ＩＰ型放送元のサーバーとの接続停止よりは、該ＩＰ型放送のコンテンツの出力再開時の処理時間が少なくて済む。したがって、デコード停止期間に、放送受信機１５０が当該放送対象地域に存在することが確認された場合には、ＩＰ型放送コンテンツの再出力までかかる時間を短縮することができる。
【０１０４】
典型的には、デコード停止期間に受信信号レベル判定手段１５１及び放送対象地域内判定手段１５８の判定が共に正である場合には出力信号生成手段１５２はＩＰ型放送の受信データのデコード停止を解除し、かつ供給制御手段１５４はコンテンツ出力手段１５３へのＩＰ型放送コンテンツ出力信号の供給遮断を解除する。この具体例は、図１１のデコード停止中放送受信機制御方法１００のＳ１０１，Ｓ８６，Ｓ８７である。
【０１０５】
典型的には、出力信号生成手段１５２は、デコード停止期間に受信信号レベル判定手段１５１の判定が否である場合にはＩＰ型放送の送信元サーバーとの接続を停止する。この具体例は、図１２のデコード停止中放送受信機制御方法１００のＳ１０４である。
【０１０６】
典型的には、接続停止の期間に受信信号レベル判定手段１５１及び放送対象地域内判定手段１５８の判定が共に正である場合には出力信号生成手段１５２は、ＩＰ型放送の放送元サーバーへの接続を開始し、かつデコードを開始し、また、供給制御手段１５４はＩＰ型放送出力の供給遮断を解除する。この具体例は、図１３の接続停止中放送受信機制御方法１１０のＲ６３である。
【０１０７】
好ましくは、放送受信機１５０は、さらに、取得判定手段１６１及び継続判定手段１６２を備えることができる。取得判定手段１６１は、現在位置取得手段１５７が現在位置を取得できたか否かを判定する。継続判定手段１６２は、ＩＰ型放送コンテンツの出力期間に受信信号レベル判定手段１５１及び取得判定手段１６１の判定が共に否である状態が所定時間以上継続したか否かを判定する。出力信号生成手段１５２は、ＩＰ型放送コンテンツの出力期間において、継続判定手段１６２の判定が正である場合には生成出力信号を放送元の放送局のＩＰ型放送コンテンツから放送波型放送コンテンツのものへ変更する。この具体例は、図８のネットワークサービス視聴中放送受信機制御方法４８のＳ７３〜Ｓ８０である。
【０１０８】
典型的には、出力信号生成手段１５２は、生成出力信号を放送元の放送局の放送波型放送コンテンツのものへ変更した場合、生成出力信号は放送波型放送の音声及び映像の内の一方のみ又は両方の出力信号とする。放送波型放送の音声及び映像の内の一方のみを出力信号とする具体例は、図１７のネットワークサービス視聴中放送受信機制御方法４８ｄ及び図１８のネットワークサービス視聴中放送受信機制御方法４８ｅである。放送波型放送の音声及び映像の両方を出力信号とする具体例は図７及び図８のネットワークサービス視聴中放送受信機制御方法４８である。
【０１０９】
放送受信機１５０から一部の素子を抽出して、別の作用を実現する放送受信機を構築することができる。この放送受信機を前述の放送受信機１５０と区別するために、放送受信機１５０ｂ，１５０ｃ，１５０ｄと呼ぶことにする。なお、符号１５０ｂ，１５０ｃ，１５０ｄは図面にはなく、明細書のみで使用している。
【０１１０】
放送受信機１５０ｂは、受信信号レベル判定手段１５１、出力信号生成手段１５２、供給制御手段１５４及び現在位置取得手段１５７を備える。この具体例は、図１５のネットワークサービス視聴中放送受信機制御方法４８ｂである。
【０１１１】
放送受信機１５０ｂでは、受信信号レベル判定手段１５１は、ユーザー選択の放送波の受信信号レベルが所定の閾値以上であるか否かを判定する。現在位置取得手段１５７は、現在位置を取得する。出力信号生成手段１５２は、ユーザー選択の放送波の放送元の放送局の放送波型放送又はＩＰ型放送コンテンツの出力信号を生成する。コンテンツ出力手段１５３は、出力信号生成手段１５２からコンテンツ出力信号を供給されてそのコンテンツを出力する。供給制御手段１５４は、ＩＰ型放送コンテンツの出力期間に受信信号レベル判定手段１５１及び放送対象地域内判定手段１５８の判定が共に否になるとコンテンツ出力手段１５３へのＩＰ型放送コンテンツ出力信号の供給を遮断する。
【０１１２】
放送受信機１５０ｃは、受信信号レベル判定手段１５１、出力信号生成手段１５２、コンテンツ出力手段１５３、供給制御手段１５４、取得判定手段１６１、及び継続判定手段１６２を備える。この具体例は、図１６のネットワークサービス視聴中放送受信機制御方法４８ｃである。
【０１１３】
放送受信機１５０ｃでは、受信信号レベル判定手段１５１は、ユーザー選択の放送波の受信信号レベルが所定の閾値以上であるか否かを判定する。現在位置取得手段１５７は現在位置を取得する。取得判定手段１６１は、現在位置取得手段１５７が現在位置を取得できたか否かを判定する。出力信号生成手段１５２は、放送元の放送局の放送波型放送又はＩＰ型放送コンテンツの出力信号を生成する。コンテンツ出力手段１５３は、出力信号生成手段１５２からコンテンツ出力信号を供給されてそのコンテンツを出力する。
【０１１４】
さらに、放送受信機１５０ｃでは、継続判定手段１６２は、ＩＰ型放送コンテンツの出力期間に受信信号レベル判定手段１５１又は現在位置取得手段１５７の判定がそれぞれ正及び否である状態が所定時間以上継続したか否かを判定する。供給制御手段１５４は、継続判定手段１６２の判定が正になるとコンテンツ出力手段１５３へのＩＰ型放送コンテンツ出力信号の供給を遮断する。
【０１１５】
放送受信機１５０ｄは、受信信号レベル判定手段１５１、現在位置取得手段１５７、放送対象地域内判定手段１５８、出力信号生成手段１５２、コンテンツ出力手段１５３及び供給制御手段１５４を備える。この具体例は、図１９のネットワークサービス視聴中放送受信機制御方法４８ｆである。
【０１１６】
放送受信機１５０ｄでは、受信信号レベル判定手段１５１は、ユーザー選択の放送波の受信信号レベルが所定の閾値以上であるか否かを判定する。現在位置取得手段１５７は、ユーザー設定の現在位置を取得する。放送対象地域内判定手段１５８は、現在位置が放送元の放送局の放送対象地域内にあるか否かを判定する。
【０１１７】
放送受信機１５０ｄでは、出力信号生成手段１５２は、ユーザー選択の放送波の放送元の放送局の放送波型放送又はＩＰ型放送コンテンツの出力信号を生成する。コンテンツ出力手段１５３は、出力信号生成手段からコンテンツ出力信号を供給されてそのコンテンツを出力する。供給制御手段１５４は、ＩＰ型放送コンテンツの出力期間において受信信号レベル判定手段１５１及び放送対象地域内判定手段１５８の判定がそれぞれ正及び否である場合には、コンテンツ出力手段１５３へのＩＰ型放送コンテンツ出力信号の供給を遮断する。
【０１１８】
放送受信機１５０ｄでは、ＧＰＳ電波等から現在位置の取得が困難になっても、又は現在位置検出用センサーを装備しなくても、放送受信機１５０ｄがユーザー選択の放送波の放送元放送局の放送対象地域内にあるか否かを判断して、放送対象地域外ではＩＰ型放送の出力を停止することができるとともに、放送対象地域内への復帰時には速やかにＩＰ型放送の出力を再開することができる。
【０１１９】
図２１は放送受信機制御方法１７０のフローチャートである。放送受信機制御方法１７０は、コンテンツ出力信号を供給されてそのコンテンツを出力するコンテンツ出力器を備える放送受信機に適用される。放送受信機の具体例は放送受信機２１である。コンテンツ出力器の具体例は表示装置３５及びスピーカ３７である。スピーカ３７に代えてイヤホンを使用することもできる。
【０１２０】
Ｓ１７１では、ＩＰ型放送コンテンツの出力期間であるか否かを判定し、判定が正であれば、Ｓ１７２へ進み、否であれば、放送受信機制御方法１７０を終了する。Ｓ１７２では、ユーザー選択の放送波の受信信号レベルが所定の閾値以上であるか否かを判定し、判定が正であれば、放送受信機制御方法１７０を終了し、否であれば、Ｓ１７３へ進む。
【０１２１】
Ｓ１７３では、ユーザー選択の放送波の放送元の放送局の放送波型放送又はＩＰ型放送コンテンツの出力信号を生成する。Ｓ１７４では、コンテンツ出力器へのＩＰ型放送コンテンツ出力信号の供給を遮断する。
【０１２２】
Ｓ１７１，Ｓ１７４の処理は、放送受信機１５０（図２０）の供給制御手段１５４の機能に対応している。Ｓ１７２，Ｓ１７３の処理は、それぞれ放送受信機１５０の受信信号レベル判定手段１５１及び出力信号生成手段１５２の機能に対応する。放送受信機１５０の各手段の具体的態様は、放送受信機制御方法１７０において対応するステップの具体的態様としても適用可能である。放送受信機制御方法１７０には、現在位置取得手段１５７、放送対象地域内判定手段１５８、取得判定手段１６１及び継続判定手段１６２の機能に対応するステップを追加可能である。追加ステップの順番又は挿入位置は、各手段間の入出力関係に従い、出力側の手段に対応するステップが入力側の手段に対応するステップより順番が前になるように配置される。
【０１２３】
本発明を適用したプログラムは、コンピュータを放送受信機１５０の各手段として機能させる。本発明を適用した別のプログラムは、放送受信機制御方法１７０の各ステップをコンピュータに実行させる。
【０１２４】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【０１２５】
１５０：放送受信機、１５１：受信信号レベル判定手段、１５２：出力信号生成手段、１５３：コンテンツ出力手段、１５４：供給制御手段、１５７：現在位置取得手段、１５８：放送対象地域内判定手段、１６１：取得判定手段、１６２：継続判定手段、１７０：放送受信機制御方法。
【図１】
2010272992.tif 000003
【図２】
2010272992.tif 000004
【図３】
2010272992.tif 000005
【図４】
2010272992.tif 000006
【図５】
2010272992.tif 000007
【図６】
2010272992.tif 000008
【図７】
2010272992.tif 000009
【図８】
2010272992.tif 000010
【図９】
2010272992.tif 000011
【図１０】
2010272992.tif 000012
【図１１】
2010272992.tif 000013
【図１２】
2010272992.tif 000014
【図１３】
2010272992.tif 000015
【図１４】
2010272992.tif 000016
【図１５】
2010272992.tif 000017
【図１６】
2010272992.tif 000018
【図１７】
2010272992.tif 000019
【図１８】
2010272992.tif 000020
【図１９】
2010272992.tif 000021
【図２０】
2010272992.tif 000022
【図２１】
2010272992.tif 000023